(57)【要約】  【課題】収納体内部及び周辺外部をイオンにより空気浄化を行うことができる収納装置を提供する。【解決手段】物品を収納する収納体と、該収納体の枠内に形成された送風通路１０，１３と、送風通路に空気を送り出す送風機６と、該送風通路内にイオンを発生させる発生装置７と、前記送風通路から収納体の内部にイオンを含んだ空気を放出する第１の放出口１１と、前記送風通路から収納体の周辺外部にイオンを含んだ空気を放出する第２の放出口１４と、これらの放出口１１，１４から放出するイオンを含んだ空気の流れを制御する流れ制御機構１２とを備え、収納体内部及びその周辺外部の広い範囲（送風機からの空気が届く範囲）の浮遊菌を除菌し、空気を浄化する。【選択図】  図１
2006095239.tif 000002
【特許請求の範囲】
【請求項１】
物品を収納する収納体と、該収納体の枠内にイオンを発生するイオン発生装置と、そのイオンを送り出すための送風機とを備え、収納体内部及び収納体外部に前記からイオンを含んだ空気を放出することを特徴とする収納装置。
【請求項２】
物品を収納する収納体と、該収納体の枠内にイオンを発生するイオン発生装置と、そのイオンを送り出すための送風機とを備え、収納体内部および収納体外部に対して放出するイオンを含んだ空気の流れを制御する流れ制御機構が設けられたことを特徴とする収納装置。
【請求項３】
物品を収納する収納体と、該収納体の枠内に形成された送風通路と、前記送風通路に空気を送り出す送風機と、該送風通路内にイオンを発生させる発生装置と、前記送風通路から収納体の内部にイオンを含んだ空気を放出する第１の放出口と、前記送風通路から収納体の周辺外部にイオンを含んだ空気を放出する第２の放出口と、前記第１の放出口あるいは第２の放出口から放出するイオンを含んだ空気の流れを制御する流れ制御機構とを備えたことを特徴とする収納装置。
【請求項４】
前記流れ制御機構が、イオンを含んだ空気の流れを可変する可変ルーバから構成されたことを特徴とする請求項２又は３に記載の収納装置。
【請求項５】
前記イオン発生装置および送風機を制御する制御部と、収納体の内部及び周辺の環境情報を検知する環境測定センサとを備え、前記制御部は、環境測定センサからの環境情報により、前記イオン発生装置のイオン量、及び／又は送風機の風量を変化させることを特徴とする請求項１〜４のいずれか一項に記載の収納装置。
【請求項６】
前記流れ制御機構を制御する制御部と、収納体の前面に配置された人体センサとを備え、前記制御部は、人体センサからの人体検知情報により、イオンを含んだ空気の流れを収納体内部側に切替えることを特徴とする請求項１〜５のいずれか一項に記載の収納装置。
【発明の詳細な説明】
【技術分野】
【０００１】
本発明は、本棚、食器棚、陳列棚、ショーケース、流し台シンク下部の収納部などの収納体にイオン発生装置を付設した空気浄化機能を有する収納装置に関するものである。
【背景技術】
【０００２】
収納物を収納する部分とその収納物を出し入れする開口部を有する収納体、例えば、本棚、食器棚、陳列棚、ショーケース、流し台シンク下部の収納部などのようなものは、収納物を出し入れする開口部が常時開いているオープンタイプのものと、開口部が開閉のための扉になっているクローズタイプのものとがある。
【０００３】
オープンタイプ収納体は、常時開口部が開いているため、その部分から空気中に浮遊しているウイルス、カビ菌などの浮遊菌、ホコリや塵、ダニの死骸などの微粒子等が収納体内部に入ってくる可能性がある。
【０００４】
クローズタイプ収納体は、扉を閉じる事によって、外部からの浮遊菌、微粒子等の侵入を防ぐことができるが、扉の開閉、収納物の出し入れ時には、外部から浮遊菌、微粒子等が入ってくる可能性は高い。
【０００５】
また、一度収納体内部に入った浮遊菌、微粒子等は扉を閉じることにより、外部との換気ができなくなり、収納体内部に溜まってしまう。それにより、菌が繁殖し、空気の汚染、および収納体や収納物の汚染となる問題があった。
【０００６】
従来は、空気浄化機能を備えることで上記の問題を解決してきた。すなわち、特許文献１及び特許文献２では、ファンにより汚染空気を吸い込み、エアーフィルターや光触媒により浮遊菌や微粒子等を取り除き、浄化した空気を排気していた。
【特許文献１】特開２００２−８０１０６号公報
【特許文献２】特開２００３−３３９４６５号公報
【発明の開示】
【発明が解決しようとする課題】
【０００７】
しかし、特許文献１、２の技術では、ファンで吸気できる狭い範囲の空気しか浄化することができない問題がある。また、より広範囲の空気を浄化しようとすれば、ファンの能力を大きくする必要があり、その結果、ファン音が大きくなってしまう問題が発生する。
【０００８】
本発明は、正負のイオンによる空気浄化技術を用い、収納体内部及び周辺外部の空気浄化を行うことができる空気浄化機能付収納装置の提供を目的とする。
【課題を解決するための手段】
【０００９】
上記目的を達成するために、本発明に係る収納装置は、物品を収納する収納体と、該収納体の枠内にイオンを発生するイオン発生装置と、そのイオンを送り出すための送風機とを備え、収納体内部及び収納体外部に前記からイオンを含んだ空気を放出することを特徴としている。
【００１０】
上記構成においては、イオン発生装置から発生するイオンを含んだ空気を収納体内部と収納体外部とに放出するので、収納体内部及びその周辺外部の広い範囲（送風機からの空気が届く範囲）の浮遊菌を除菌することができ、空気を浄化することができる。
【００１１】
また、本発明に係る収納装置は、物品を収納する収納体と、該収納体の枠内にイオンを発生するイオン発生装置と、そのイオンを送り出すための送風機とを備え、収納体内部および収納体外部に対して放出するイオンを含んだ空気の流れを制御する流れ制御機構が設けられたことを特徴としている。
【００１２】
上記構成においては、流れ制御機構により、収納体内部および収納体外部に対して放出するイオンを含んだ空気の流れを制御することができるので、収納体内部および収納体外部に対して、その空気量および放出方向を適宜変更して最適な空気浄化を可能とする。
【００１３】
より具体的には、本発明に係る収納装置は、物品を収納する収納体と、該収納体の枠内に形成された送風通路と、前記送風通路に空気を送り出す送風機と、該送風通路内にイオンを発生させる発生装置と、前記送風通路から収納体の内部にイオンを含んだ空気を放出する第１の放出口と、前記送風通路から収納体の周辺外部にイオンを含んだ空気を放出する第２の放出口と、前記第１の放出口あるいは第２の放出口から放出するイオンを含んだ空気の流れを制御する流れ制御機構とを備えたことを特徴としている。
【００１４】
上記構成においては、収納体の枠体内に送風通路を形成し、この送風通路に送風機により空気を取り入れ、送風通路内にイオン発生装置から発生したイオンを空気と共に第１の放出口あるいは第２の放出口から放出する。この際、流れ制御機構により、イオンを含んだ空気の流れを収納体の内部側と周辺外部側で制御する。これにより、収納体内部及びその周辺外部の広い範囲（送風機からの空気が届く範囲）の浮遊菌を除菌することができ、空気を浄化することができる。
【００１５】
流れ制御機構の形態は特に限定されず、種々の形態を採用可能であるが、一例として、イオンを含んだ空気の流れを可変する可変ルーバを挙げることができる。
【００１６】
また、イオン発生装置および送風機を制御する制御部と、収納体の内部及び周辺の環境情報を検知する環境測定センサとを備え、前記制御部は、環境測定センサからの環境情報により、前記イオン発生装置のイオン量、及び／又は送風機の風量を変化させることもできる。
【００１７】
上記構成においては、環境測定センサにより、環境を察知し、イオン量や送風機の風量を変化させることができ、より効率的に収納体内部及び周辺外部の空気浄化を行うことができる。ここで、環境センサとしては、ホコリ検知センサ、ガスセンサ、温度センサ、湿度センサ等を挙げることができる。
【００１８】
また、流れ制御機構を制御する制御部と、収納体の前面に配置された人体センサとを備え、制御部は、人体センサからの人体検知情報によりイオンを含んだ空気の流れを収納体内部側に切替えることができる。
【００１９】
上記構成においては、人体センサにより収納体前面に人が来たことを検知したとき、流れ制御機構によりイオンを含んだ空気の放出方向を収納体の内部側に切替え、人体に直接風が当たるのを防止して、不快感を感じさせないようにすることができる。
【発明の効果】
【００２０】
以上のとおり、本発明によると、流れ制御機構によりイオンを含んだ空気の放出方向を切替えることができるので、収納体の内部及び外部の広い範囲（送風機からの空気が届く範囲）の浮遊菌を除菌することができ、空気を浄化することができる。
【発明を実施するための最良の形態】
【００２１】
＜第1の実施形態＞
図１は本発明の第１の実施形態を示す収納装置（本棚）の概観図、図２は同じくその要部拡大図を示す。本実施形態の収納装置は、書籍を収納する本棚であって、図に示すように、収納体１が、収納部の上面を形成する上板２と、側面を形成する側板３と、下面を形成する下板４と、背面を形成する背板５と、空気を送り出す送風機６と、正負イオンを発生させるイオン発生装置７と、これらを制御する制御部１８と、収納体内外部の環境を測定できるホコリ、ガス、温湿度の各環境測定センサ８及び１５によって主に構成されている。
【００２２】
上板２は、内部に送風機６、例えばシロッコファンと、該ファンの吸気口９とを備えている。
【００２３】
側板３は、内部に送風機６からの送風を通る送風通路１０と、正負イオンを発生させるイオン発生装置７と、そのイオンを含んだ空気を収納体内部に放出する第１の放出口１１と、収納体内部および収納体外部に対して放出するイオンを含んだ空気の流れを制御する流れ制御機構１２と、収納体内部の環境を測定できるホコリ、ガス、温湿度センサの各環境測定センサ８とを備えている。
【００２４】
流れ制御機構１２は、図２に示すように、第１の放出口１１と第２の放出口１４に放出する空気量を可変する可変ルーバ１２ａと、該可変ルーバ１２ａを回動するモータ１２ｂとから構成される。本実施形態において、可変ルーバ１２ａは、第１の放出口１１の送風方向で下流側に配置され、第２の放出口１４に流れる空気を遮断する閉姿勢と、第２の放出口１４に流れる空気経路を全開する開姿勢との間で回動調整自在とされる。
【００２５】
なお、可変ルーバ１２ａの設置位置は図１に例示する位置に限定されるものではなく、第１の放出口１１と第２の放出口１４のうちのいずれか一方に空気が流れるように設定してもよい。
【００２６】
下板４は、内部に送風機６からのイオンを含んだ空気が通る送風通路１３と、収納体前面にその送風を放出する第２の放出口１４と、収納体前面の環境を測定できるホコリ、ガス、温湿度センサの各環境測定センサ１５と、収納体前面に人がいること察知できる人体センサ１６とを備えている。
【００２７】
また、送風機６、可変ルーバ１２ａおよびイオン発生装置７を制御する制御部１８は、上板２、側板３、下板４の内部で、送風通路１０及び１３外であれば、どこに設置してもよい。
【００２８】
イオン発生装置７は、例えば、セラミックなどの平板状の誘電体の表面に設けられた表面電極と、誘電体の内部に埋設され且つ前記表面電極と平行に設けられた内部電極との間に交流電圧を印加することにより、空気中の酸素ないしは水分が電離によりエネルギーを受けてイオン化し、正イオンであるＨ+(Ｈ2Ｏ)m（ｍは任意の自然数）と負イオンであるＯ2-(Ｈ2Ｏ)n（ｎは任意の自然数）を主体としたイオンを生成し、これらを空間に放出させるものである。これらＨ+(Ｈ2Ｏ)m及びＯ2-(Ｈ2Ｏ)nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで不活化することができる。ここで、・ＯＨは活性種の１種であり、ラジカルのＯＨを示している。
【００２９】
上記構成において、送風機６が駆動されることによって、その吸気口９から空気が吸い込まれ、送風機６から送風通路１０に吹き出される。吹き出された空気は送風通路１０内でイオン発生装置７上を通過する。
【００３０】
このとき、イオン発生装置７では、正イオンと負イオンをほぼ同等量発生しているため、発生した正負イオンは、送風通路１０を通る空気にのって運ばれる。正負イオンを含んだ空気は、その後、収納体内部への第１の放出口１１から収納体内部１７へ放出される。あるいは、更に送風通路１３を通り、収納体前面への第２の放出口１４に至り、ここから収納体前面へ放出される。これらは、可変ルーバ１２ａによって、選択することができる。
【００３１】
本実施形態では、収納体前面への第２の放出口１４から放出する場合、全ての正負イオンを含んだ空気が収納体前面へ放出されるのではなく、収納体内部１７へも少なからず放出される。このように放出された空気に含まれた正負イオンの除菌効果によって、収納体内部１７及び前面の浮遊菌を除去し、空気が浄化される。
【００３２】
また、収納体内部１７及び前面の環境を測定できる各環境測定センサ８及び１５により、収納体内部１７及び前面にホコリや臭気を察知したり、カビが繁殖し易い温湿度環境になったら、制御部１８により、送風機６の強弱を制御したり、可変ルーバ１２ａを内部に切り替えたりする。
【００３３】
さらに、下板４に取り付けられている人体センサ１６により、収納体前面に人が来たと察知したときは、可変ルーバ１２ａを内部方向のみに吹出すように切替え、収納体前面の第２の放出口１４より正負イオンを含んだ空気を放出しないように切替え、人体に風を当たらないようにする。
【００３４】
＜第２の実施形態＞
図３は本発明の第２の実施形態である収納装置（本棚）を数段に重ねた状態を示す概観図、図４は図３の収納装置（本棚）における送風機の配置を示す概観図である。
【００３５】
図に示すように、本棚を数段に重ねた場合、図１の第１の実施形態に示すように、上板に吸気口９を備えた本棚では、吸気口が塞がれることになる。
【００３６】
そこで、本実施形態では、数段の収納棚１を積み重ねる場合、送風機６の吸気口９が開放するように、送風機６及びその吸気口９を側板３に形成している。その他の構成は上記第１の実施形態と同様である。
【００３７】
上記構成においては、吸気口９が側板３に形成されているため、収納棚１を複数段に積み重ねても吸気口９が塞がれることがなく、収納棚１の周辺から空気を吸い込み、収納体の内部及び周辺外部にイオンを含んだ空気を放出することができる。
【００３８】
＜第３の実施形態＞
次に、キッチン流し台（シンク）下の収納体に本発明を適用した例について説明する。図５に上記収納体の概観を示す。基本構造は、書籍を収納する収納体１（図１参照）と同じである。ただ、収納体上部は、流し台２０であるため、吸気口９及び送風機６は、収納体側板３に備わっている。
【００３９】
また、収納体前面への放出口１４は上板２に設けられている。これは、下板４より上板２から正負イオンを含んだ空気を放出した方が、収納体前面のより大きい範囲に放出できるからである。これは、前述の書籍を収納する収納体１においても同じことが言えるのは言うまでもない。その他の構成も上記第１の実施形態と同様であるので、その説明は省略する。
【００４０】
なお、本発明は上記実施形態に限定されるものではなく、本発明の範囲内で多くの修正・変更を加えることができるのは勿論である。例えば、上記実施形態では、収納体として本棚や流し台下シンク収納部を例示したが、これらに限らず陳列棚、食器棚等の他の収納体であっても本発明を適用することができる。また、上記実施形態では、全て収納体に向かって右側に送風機および送風通路が描かれているが、これらは収納体の左側に備わっていてもよい。さらに、収納体内部及び前面への放出口も収納体内部及び前面に放出できる部分であれば、特に限定されるものではない。
【図面の簡単な説明】
【００４１】
【図１】本発明の第１の実施形態を示す収納装置の概観図
【図２】図１の要部拡大図
【図３】本発明の第２の実施形態である収納装置（本棚）を数段に重ねた状態を示す概観図
【図４】図３の各収納装置（本棚）における送風ファン及び吸気口の配置を示す概観図
【図５】本発明の第３の実施形態であるキッチン流し台（シンク）下の収納装置の概観図
【符号の説明】
【００４２】
１    収納体（本棚）
２    上板
３    側板
４    下板
５    背板
６    送風機
７    イオン発生装置
８    環境測定センサ
１０    送風通路
１１    第１の放出口
１２    流れ制御機構
１２ａ  可変ルーバ
１３    送風通路
１４    第２の放出口
１５    環境測定センサ
１６    人体センサ
１７    収納体内部空間
１８    制御部
２０    流し台
【図１】
2006095239.tif 000003
【図２】
2006095239.tif 000004
【図３】
2006095239.tif 000005
【図４】
2006095239.tif 000006
【図５】
2006095239.tif 000007